(57)【要約】【課題】    意匠性および防犯性を確保しつつ設置や交換の際の作業性を向上させることができるブラインドおよび建具を提供すること。【解決手段】複数のスラット４１の各々が端部部材４６を介して縦レール４３に支持され、この端部部材４６とスラット４１とが、スラット４１を構成するスナップ部品４１４を取り外すとともに、ピース材４１５をスライドさせることで着脱可能に構成されているので、縦レール４３に支持された状態の端部部材４６に各スラット４１を個別に取り付ける、あるいは取り外すことができる。従って、全てのスラット４１を駆動伝達部４５１に連結した状態で設置したり取り外したりする必要がなく、スラット４１の設置作業や交換作業の作業性を向上させることができる。【選択図】  図６
2006241740.tif 000002
【特許請求の範囲】
【請求項１】
枠体と、この枠体に左右両端部が支持された複数のスラットとを備え、
前記複数のスラットは、それぞれ長尺状かつ長手方向に沿って連続する溝部を有して形成されたスラット本体と、このスラット本体よりも所定寸法だけ短い長尺状に形成されて前記溝部に係合される副スラット体と、この副スラット体の少なくとも一方の端縁に連続して前記溝部に係脱自在に係合される係脱部材と、この係脱部材よりも前記スラット本体の端縁寄りの前記溝部にスライド自在に係合される短尺部材と、を有して断面中空状に形成され、
前記スラットの両端部には、前記枠体に支持される端部部材が取り付けられ、この端部部材は、前記係脱部材を取り外しかつ前記短尺部材を前記スラット本体の中央寄りにスライドさせた状態で前記溝部に着脱可能に構成されているブラインド。
【請求項２】
窓枠と、この窓枠内に支持された障子と、前記窓枠の室外側に設けられた外部ブラインドとを備えた建具であって、
前記外部ブラインドは、前記窓枠の室外側に固定されるブラインド枠体と、このブラインド枠体に左右両端部が支持された複数のスラットとを有して構成され、
前記複数のスラットは、それぞれ長尺状かつ長手方向に沿って連続する溝部を有して形成されたスラット本体と、このスラット本体よりも所定寸法だけ短い長尺状に形成されて前記溝部に係合される副スラット体と、この副スラット体の少なくとも一方の端縁に連続して前記溝部に係脱自在に係合される係脱部材と、この係脱部材よりも前記スラット本体の端縁寄りの前記溝部にスライド自在に係合される短尺部材と、を有して断面中空状に形成され、
前記スラットの両端部には、前記ブラインド枠体に支持される端部部材が取り付けられ、この端部部材は、前記係脱部材を取り外しかつ前記短尺部材を前記スラット本体の中央寄りにスライドさせた状態で前記溝部に着脱可能に構成されている建具。
【請求項３】
前記外部ブラインドは、前記ブラインド枠体上部に設けられた駆動部と、この駆動部に接続された駆動伝達部とを有し、
前記複数のスラットは、前記端部部材が前記駆動伝達部に連結されて上下移動可能に設けられている請求項２に記載の建具。
【請求項４】
前記ブラインド枠体は、前記複数のスラットを案内する案内溝を有して断面略Ｃ字形に形成された縦レール材を有して構成され、
前記端部部材は、前記スラットの端縁を塞ぐ端面部と、この端面部から延びて前記スラット本体の溝部に挿入される挿入部と、この挿入部と反対側に前記端面部から延びる軸部とを有して形成され、
前記軸部が前記縦レール材の案内溝に挿入されて前記駆動伝達部に連結されている請求項３に記載の建具。
【請求項５】
前記複数のスラットは、前記駆動部に駆動されて前記障子の室外面に重ならない上方の開放位置まで移動される請求項３または請求項４に記載の建具。
【発明の詳細な説明】
【技術分野】
【０００１】
本発明は、ブラインドおよび建具に関し、詳しくは、複数のスラットを備えたブラインド、および窓枠と、この窓枠の室外側に設けられた外部ブラインドとを備えた建具に関する。
【背景技術】
【０００２】
窓の室外面に設けられる外部ブラインドとして、金属製かつ中空状のスラットが上下移動可能に構成されたものが知られている（例えば、特許文献１参照）。
特許文献１に記載された外部ブラインドは、障子を支持する窓枠の障子支持部よりも室外側に形成されたブラインド支持枠と、このブラインド支持枠の上部に設けられた駆動部（装置部）と、この駆動部からブラインド支持枠の縦枠内部に延びる駆動伝達部（チェーンやリンク）と、この駆動伝達部に連結されてブラインド支持枠に支持される複数のスラットとを有して構成されている。そして、複数のスラットは、駆動部により駆動され、ブラインド支持枠の縦枠に沿って上下移動可能および回動可能に構成されている。
【０００３】
【特許文献１】特開２００４−３４６５８２号公報
【発明の開示】
【発明が解決しようとする課題】
【０００４】
しかしながら、前記特許文献１に記載の外部ブラインドでは、複数のスラットが駆動伝達部に直接連結されているため、ブラインド支持枠に複数のスラットを設置する際には、駆動伝達部に連結された状態の全てのスラットを縦枠上部から挿入するようにして設置しなければならず、設置作業に多大な手間を要してしまうという問題がある。
さらに、複数のスラットのうちの例えば１つのスラットを交換する必要が生じた場合には、一旦全てのスラットを駆動伝達部とともにブラインド支持枠から取り外してからでないと交換することができず、交換作業にも多大な手間を要してしまう。この際、縦枠をスラット側に大きく開口させて形成し、内部の駆動伝達部に手が届くようにしておけば、ブラインド支持枠に支持された状態のままでスラットごとに交換できるようになるが、このようにすると縦枠内部が見えてしまうため意匠性が阻害されるとともに、防犯性も低下してしまうという新たな問題が生じる。
【０００５】
本発明の目的は、意匠性および防犯性を確保しつつ設置や交換の際の作業性を向上させることができるブラインドおよび建具を提供することにある。
【課題を解決するための手段】
【０００６】
本発明のブラインドは、枠体と、この枠体に左右両端部が支持された複数のスラットとを備え、前記複数のスラットは、それぞれ長尺状かつ長手方向に沿って連続する溝部を有して形成されたスラット本体と、このスラット本体よりも所定寸法だけ短い長尺状に形成されて前記溝部に係合される副スラット体と、この副スラット体の少なくとも一方の端縁に連続して前記溝部に係脱自在に係合される係脱部材と、この係脱部材よりも前記スラット本体の端縁寄りの前記溝部にスライド自在に係合される短尺部材と、を有して断面中空状に形成され、前記スラットの両端部には、前記枠体に支持される端部部材が取り付けられ、この端部部材は、前記係脱部材を取り外しかつ前記短尺部材を前記スラット本体の中央寄りにスライドさせた状態で前記溝部に着脱可能に構成されていることを特徴とする。
【０００７】
以上の本発明によれば、複数のスラットの各々が端部部材を介して枠体に支持され、この端部部材とスラットとが、係脱部材を取り外しかつ短尺部材をスライドさせることで着脱可能に構成されているので、枠体に支持された状態の端部部材に各スラットを個別に取り付ける、あるいは取り外すことができる。これにより、枠体に複数のスラットを設置する場合には、先ず、枠体に端部部材を支持させてから、この端部部材に各スラットを順次取り付けていけばよい。また、スラットを交換する場合にも同様に、交換するスラットだけを取り外した後に新たなスラットを取り付ければよい。従って、複数のスラット全てを一度に枠体に設置したり取り外したりする必要がないことから、設置作業および交換作業の手間を削減して作業性を向上させることができる。
また、係脱部材および短尺部材を所定位置に取り付ければスラットが中空状に形成されるため、継ぎ目や接合のためのボルト等が外部に露出せず、ブラインドの外観意匠性を向上させることができる。さらに、枠体には端部部材が挿入できる程度の溝や孔を設けておけば、枠体に端部部材を支持させることができるので、枠体に大きな開口を設ける必要がないため、枠体の内部が見えることがなく意匠性や防犯性を確保することができる。
【０００８】
また、本発明の建具は、窓枠と、この窓枠内に支持された障子と、前記窓枠の室外側に設けられた外部ブラインドとを備えた建具であって、前記外部ブラインドは、前記窓枠の室外側に固定されるブラインド枠体と、このブラインド枠体に左右両端部が支持された複数のスラットとを有して構成され、前記複数のスラットは、それぞれ長尺状かつ長手方向に沿って連続する溝部を有して形成されたスラット本体と、このスラット本体よりも所定寸法だけ短い長尺状に形成されて前記溝部に係合される副スラット体と、この副スラット体の少なくとも一方の端縁に連続して前記溝部に係脱自在に係合される係脱部材と、この係脱部材よりも前記スラット本体の端縁寄りの前記溝部にスライド自在に係合される短尺部材と、を有して断面中空状に形成され、前記スラットの両端部には、前記ブラインド枠体に支持される端部部材が取り付けられ、この端部部材は、前記係脱部材を取り外しかつ前記短尺部材を前記スラット本体の中央寄りにスライドさせた状態で前記溝部に着脱可能に構成されていることを特徴とする。
以上の本発明によれば、前述のブラインドと同様に、窓枠の室外側に設けられる外部ブラインドにおいて、設置作業および交換作業の手間を削減して作業性を向上させることができるとともに、意匠性や防犯性を確保することができる。
また、外部ブラインドのスラットで障子の室外側を覆うことで、室外からの日射や視線を遮ることができ、室内空間の快適性を向上させ、プライバシーを保護することができる。
【０００９】
この際、本発明の建具では、前記外部ブラインドは、前記ブラインド枠体上部に設けられた駆動部と、この駆動部に接続された駆動伝達部とを有し、前記複数のスラットは、前記端部部材が前記駆動伝達部に連結されて上下移動可能に設けられていることが好ましい。
このような構成によれば、前述と同様の効果を備えた可動ブラインドを構成することができる。すなわち、端部部材を連結した駆動伝達部をブラインド枠体の縦枠内部に設置してから、各端部部材にスラットを取り付けるようにすれば、設置の手間が大幅に軽減されて、作業性が飛躍的に向上できる。
【００１０】
さらに、本発明の建具では、前記ブラインド枠体は、前記複数のスラットを案内する案内溝を有して断面略Ｃ字形に形成された縦レール材を有して構成され、前記端部部材は、前記スラットの端縁を塞ぐ端面部と、この端面部から延びて前記スラット本体の溝部に挿入される挿入部と、この挿入部と反対側に前記端面部から延びる軸部とを有して形成され、前記軸部が前記縦レール材の案内溝に挿入されて前記駆動伝達部に連結されていることが好ましい。
このような構成によれば、縦レール材に形成される案内溝が端部部材の軸部を挿通可能な幅を有していればよいので、縦レール材の内部が室外に露出することが防止でき、さらに意匠性および防犯性を向上させることができる。
【００１１】
また、本発明の建具では、前記複数のスラットは、前記駆動部に駆動されて前記障子の室外面に重ならない上方の開放位置まで移動されることが好ましい。
このような構成によれば、開放位置に移動させた状態のスラットが障子の室外面に重ならないので、開放感が確保できるとともに、当該建具の外観および内観の意匠性を良好にすることができる。
【発明を実施するための最良の形態】
【００１２】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１３】
〔第１実施形態〕
図１は、本発明の第１実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１４】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１５】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１６】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、これら上下の障子２０，３０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１７】
次に、図５〜図７も参照して窓枠１０の室外側に設けられた外部ブラインド４０について説明する。
図５は、外部ブラインド４０を示す一部を省略した斜視図である。図６は、外部ブラインド４０の一部を拡大して示す分解斜視図である。図７は、外部ブラインド４０の動作を示す側面図である。
外部ブラインド４０は、図２に示すように、閉鎖位置にある上部障子２０の見込み方向に重ならない開位置と、図２に仮想線で示すように、上部障子２０および下部障子３０の室外側を覆う閉位置との間を上下移動操作可能な複数のスラット４１を備えて構成されている。さらに、外部ブラインド４０は、スラット４１を駆動する駆動部４５（モータや駆動制御装置等）を内蔵した上部ケース４２と、スラット４１を上下に案内する左右の縦レール４３と、これらの縦レール４３の下端縁を塞ぐキャップ部材４４とを備えて構成されている。上部ケース４２および縦レール４３は、それぞれアルミ形材製であって、上部ケース４２は、建物躯体４にビス止め固定され、縦レール４３は、建物躯体４および縦枠１３にビス止め固定され、キャップ部材４４は、縦レール４３の下端部にビス止め固定されている。
【００１８】
縦レール４３内部には、駆動部４５に連結されて駆動部４５の駆動をスラット４１に伝達する駆動伝達部４５１が上下に連続して設けられている。駆動伝達部４５１には、各々のスラット４１の端部を支持する複数の支持部４５１Ａと、これらの支持部４５１Ａ同士を連結してスラット４１を回動駆動するベルト４５１Ｂと、スラット４１を上下駆動するチェーン４５１Ｃとが設けられている。そして、図７に示すように、室内側および室外側のベルト４５１Ｂが互いに上下の異なる方向に駆動されることで、スラット４１が回動されるようになっている。また、縦レール４３は、断面略Ｃ字形に形成されて見付け方向内側に開口した案内溝部４３１を有して形成されており、この案内溝部４３１から縦レール４３内部に挿入された端部部材４６を介してスラット４１が支持部４５１Ａに連結されている。
【００１９】
各々のスラット４１は、アルミ形材製で長尺状かつ長手方向に沿って連続する溝部４１２Ａを有して形成されたスラット本体４１２と、このスラット本体４１２よりも所定寸法だけ短い長尺状に形成されて溝部４１２Ａに係合される副スラット体４１３とを有している。スラット本体４１２の溝部４１２Ａ開口近傍には、長手方向に連続する一対の係合部４１２Ｂが互いに対向して形成されている。そして、副スラット体４１３は、スラット本体４１２の端部から係合部４１２Ｂに挿入され、溝部４１２Ａを塞いで取り付けられている。また、スラット本体４１２の少なくとも一方の端部における溝部４１２Ａには、副スラット体４１３に隣接して係脱部材であるスナップ部品４１４が係脱自在に係合され、このスナップ部品４１４に隣接して短尺部材であるピース材４１５がスライド自在に係合されている。
【００２０】
スナップ部品４１４は、底面部４１４Ａと、この底面部４１４Ａから延びる一対の挿入片４１４Ｂを有して形成され、この挿入片４１４Ｂが溝部４１２Ａに挿入されるとともに、底面部４１４Ａの両側端縁が係合部４１２Ｂに係止されて溝部４１２Ａに取り付けられる。そして、係合部４１２Ｂによる係止を外すことで、スナップ部品４１４は、スラット本体４１２の面外方向（下方）に取り外せるようになっている。また、スナップ部品４１４の長さ寸法は、後述する端部部材４６の挿入部４６２の長さ寸法よりも若干長く形成されている。
ピース材４１５は、副スラット体４１３と同一断面を有し、スラット本体４１２の端部から係合部４１２Ｂに挿入されて取り付けられている。
以上のスラット本体４１２、副スラット体４１３、スナップ部品４１４、およびピース材４１５によって、スラット４１は、上方に凸な全体略円弧状（羽根形状）で断面中空状に形成されている。
【００２１】
端部部材４６は、樹脂製の一体成形品であり、スラット４１の端縁を塞ぐ端面部４６１と、この端面部４６１から延びてスラット本体４１２の溝部４１２Ａに挿入される挿入部４６２と、この挿入部４６２と反対側に端面部４６１から延びる軸部４６３とを有して形成されている。端部部材４６の軸部４６３は、縦レール４３の案内溝部４３１に挿入されるとともに、支持部４５１Ａの挿通孔４５１Ｄに挿入されて駆動伝達部４５１に取り付けられている。端部部材４６の挿入部４６２は、スラット本体４１２の溝部４１２Ａと、この溝部４１２Ａを塞いだピース材４１５とで挟持されてスラット４１に固定されるようになっている。
【００２２】
以上のようなスラット４１と端部部材４６との固定手順について、図８〜図１１に基づいて説明する。
図８〜図１１は、それぞれスラット４１と端部部材４６との固定手順を説明する斜視図である。なお、以下の説明において、端部部材４６は、図示しない縦レール４３の案内溝部４３１を介して駆動伝達部４５１に既に取り付けられているものとする。
先ず、図８に示すように、スラット本体４１２の端部側からピース材４１５および副スラット体４１３を係合部４１２Ｂに挿入しておく。この際、スナップ部品４１４は、スラット本体４１２から取り外されているため、スラット本体４１２の端部には、スナップ部品４１４の長さ寸法分だけ溝部４１２Ａが露出されている。
次に、図９に示すように、スラット本体４１２を端部部材４６の上方位置から下げ、露出した溝部４１２Ａに端部部材４６の挿入部４６２を挿入する。
【００２３】
次に、図１０に示すように、ピース材４１５を係合部４１２Ｂに沿ってスラット本体４１２の端部側にスライドさせて、ピース材４１５と副スラット体４１３との間に、スナップ部品４１４を取り付けるための隙間を形成する。
そして、形成した隙間からスナップ部品４１４の挿入片４１４Ｂを溝部４１２Ａに挿入し、底面部４１４Ａの両側端縁を係合部４１２Ｂに係止させる。
以上により、図１１に示すように、端部部材４６とスラット４１とが固定され、スラット４１が駆動伝達部４５１に連結される。そして、副スラット体４１３、スナップ部品４１４、およびピース材４１５によってスラット本体４１２の溝部４１２Ａが塞がれ、中空状のスラット４１が形成される。
一方、上記と逆の手順により、スラット４１を端部部材４６から取り外すことが可能である。
【００２４】
このような本実施形態によれば、以下のような効果がある。
（１）すなわち、縦レール４３内部の駆動伝達部４５１に端部部材４６を固定した状態において、スラット４１を端部部材４６に固定して駆動伝達部４５１に連結できるので、複数のスラット４１全てを駆動伝達部４５１に連結した状態で設置する必要がなく、スラット４１の設置作業の作業性を向上させることができる。
【００２５】
（２）さらに、端部部材４６を駆動伝達部４５１に固定したままでスラット４１を端部部材４６から取り外すことができるので、スラット４１を交換する必要が生じた場合には、駆動伝達部４５１を縦レール４３から取り外さなくても、個々のスラットごとに交換できるので、交換作業の作業性を向上させることができる。
【００２６】
（３）また、スラット４１が、スラット本体４１２、副スラット体４１３、スナップ部品４１４、およびピース材４１５から断面中空羽根形状に形成されるため、継ぎ目や接合のためのボルト等が外部に露出せず、外部ブラインド４０の外観意匠性を向上させることができる。
【００２７】
（４）さらに、縦レール４３に形成した案内溝部４３１は、端部部材４６の軸部４６３が挿入可能な最低限の幅寸法を有していればよいので、縦レール４３の内部が室外に露出することが防止でき、意匠性を向上させることができる。さらに、縦レール４３の駆動伝達部４５１が外部から操作されることがないので、第三者の不法な行為を未然に防ぐことができ、防犯性を向上させることができる。
【００２８】
（５）また、夜間や留守にする場合には、図７に仮想線で示したように、スラット４１を回動させて全閉状態にしておけば、スナップ部品４１４やピース材４１５が屋外側から見えず、かつスナップ部品４１４を取り外すことができなくなり、スラット４１が外せなくなるので、防犯性を一層向上させることができる。
【００２９】
（６）さらに、窓枠１０の室外側に外部ブラインド４０を設けたことで、室外からの日射や視線を遮ることができ、室内空間の快適性を向上させ、プライバシーを保護することができる。
【００３０】
（７）また、複数のスラット４１を駆動部により上方の開位置に移動させた状態において、スラット４１が上部障子２０の室外面に重ならないので、室内の開放感が確保できるとともに、上げ下げ窓１の外観および内観の意匠性を良好にすることができる。
【００３１】
〔第２実施形態〕
次に、本発明の第２実施形態に係るブラインドについて、図１２に基づいて説明する。
図１２は、本実施形態の外部ブラインド４０Ａを示す斜視図である。
本実施形態の外部ブラインド４０Ａは、上下移動不能にブラインド枠４７に取り付けられている点が前記第１実施形態の外部ブラインド４０と相違し、その他の構成は、第１実施形態と略同様である。以下、相違点について説明する。
【００３２】
外部ブラインド４０Ａは、互いに対向して設けられた左右一対のブラインド枠４７を備え、これらのブラインド枠４７に形成された取付孔４７１にスラット４１が回動可能に支持されている。このスラット４１の構成は、前記第１実施形態と同様であり、スラット本体４１２と、副スラット体４１３と、スナップ部品４１４と、ピース材４１５とを有して構成され、スラット４１は、その両端部に固定される端部部材４６を介してブラインド枠４７に連結されるようになっている。つまり、先ず、端部部材４６の軸部４６３を取付孔４７１に挿入して、左右のブラインド枠４７に端部部材４６を連結させておいてから、これらの端部部材４６に前述と同様の手順でスラット４１を固定することで、スラット４１がブラインド枠４７に連結されている。
【００３３】
このような本実施形態によれば、以下のような効果がある。
（８）すなわち、スラット４１が、左右のブラインド枠４７間の間隔寸法に合わせて若干短い長さ寸法に形成されていれば、端部部材４６を介してブラインド枠４７に連結することができる。従って、ブラインド枠４７とスラット４１との隙間が小さくでき、意匠性に優れた外部ブラインド４０Ａを構成することができる。
【００３４】
なお、本発明は、前記各実施形態に限定されるものではなく、本発明の目的を達成できる他の構成等を含み、以下に示すような変形等も本発明に含まれる。
例えば、前記第１実施形態においては、上げ下げ窓１の窓枠１０の室外側に外部ブラインド４０を設けたが、本発明のブラインドは、窓枠の室外側に設けたものに限らず、任意の位置に設けることができる。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３６】
【図１】本発明の第１実施形態に係る建具を室外側から見た正面図である。
【図２】前記建具を示す縦断面図である。
【図３】前記建具を示す横断面図であり、上部障子位置での横断面図である。
【図４】前記建具を示す横断面図であり、下部障子位置での横断面図である。
【図５】前記建具の室外側に設けられた外部ブラインドを示す一部を省略した斜視図である。
【図６】前記外部ブラインドの一部を拡大して示す分解斜視図である。
【図７】前記外部ブラインドの動作を示す側面図である。
【図８】前記外部ブラインドのスラットと端部部材との固定手順を説明する斜視図である。
【図９】前記外部ブラインドのスラットと端部部材との固定手順を説明する斜視図である。
【図１０】前記外部ブラインドのスラットと端部部材との固定手順を説明する斜視図である。
【図１１】前記外部ブラインドのスラットと端部部材との固定手順を説明する斜視図である。
【図１２】本発明の第２実施形態に係るブラインドを示す斜視図である。
【符号の説明】
【００３７】
１０…窓枠、２０…上部障子、３０…下部障子、３１…上框、３２…下框、３３…縦框、４０，４０Ａ…外部ブラインド、４１…スラット、４３…ブラインド枠体である縦レール、４５…駆動部、４６…端部部材、４７…ブラインド枠体、４１２…スラット本体、４１２Ａ…溝部、４１３…副スラット体、４１４…係脱部材であるスナップ部品、４１５…短尺部材であるピース材、４５１…駆動伝達部、４６１…端面部、４６２…挿入部、４６３…軸部。
【図１】
2006241740.tif 000003
【図２】
2006241740.tif 000004
【図３】
2006241740.tif 000005
【図４】
2006241740.tif 000006
【図５】
2006241740.tif 000007
【図６】
2006241740.tif 000008
【図７】
2006241740.tif 000009
【図８】
2006241740.tif 000010
【図９】
2006241740.tif 000011
【図１０】
2006241740.tif 000012
【図１１】
2006241740.tif 000013
【図１２】
2006241740.tif 000014